(57)【要約】【課題】本発明は、髪留め具の装着や取り外しの際、係止部やヒンジ部に、髪が絡まるため、髪の絡みつき、切れの防止に配慮し、頭髪の結束力を高め、滑り落ち防止用効果のある、髪留め具を提供するものである。【解決手段】頭髪を挟持する際、一対の髪挟持板一端側に設けられた係止用凸部材と、もう一方の髪挟持板に設けられた係止用凹部を押圧するだけで、装着することができ、係止用凹部に備えられた操作部を外側に押圧することで、ヒンジ部に設けられたコイルばねの弾性で、簡単に係止用凹部から外す機能を設ける。また、係止用凸部材の内面に遮断部材を設けることで、係止部への頭髪の絡まりを防ぎ、更に、一対の髪挟持板を、互いに同一方向に弧状に湾曲する形で挟持面を広げることで、頭髪の挟持力が高まり、シリコン素材やシリコンゴム素材等の柔軟材を用いることにより、滑り落ち防止用効果を高めた髪留め具を特徴とする。【選択図】図１
2019208714.tif 000002
【特許請求の範囲】
【請求項１】
同一方向に湾曲した可撓性を有する一対の髪挟持板の一端部にヒンジ部が、他端の開放端部に係止部がそれぞれ一体に設けられ、前記係止部の前記ヒンジ部側の内面に挟持する髪が前記係止部に入り込むのを防止するための遮断部材を前記髪挟持板の一方に設けた髪留め具。
【請求項２】
前記髪挟持板の一方に装飾板が一体に取り付けられている請求項1記載の髪留め具。
【請求項３】
前記ヒンジ部には髪挟持板の開放端部が開く方向に前記髪挟持板を付勢する付勢手段が設けられている請求項1記載の髪留め具。
【発明の詳細な説明】
【技術分野】
【０００１】
本発明は、髪留め具に関するものである。
【背景技術】
【０００２】
従来の髪留め具は、頭面に沿って上方に弧状に湾曲する装飾板と、上方に弧状に湾曲した弾性を有する髪挟持板の間に、下方に弧状に湾曲した弾性を有するばね板とが設けられ、ばね板と髪挟持板の間に、頭髪を挟持する構成であり、これらのばね板と髪挟持板は、いずれも弾性を有する金属板等で形成されている。
【０００３】
装飾板の一方の端部には、ヒンジ部が設けられ、装飾板の幅方向の両側に、一対の枢支片がそれぞれ起立され、一対の枢支片に設けられたそれぞれの枢支孔に、髪挟持板の一方の端部の幅方向の両側に形成した２つの枢軸が、回動可能に軸支されている。
【０００４】
装飾板の他端側の端部には、係止部として、装飾板の幅方向の両側に、係止部の操作片が起立されており、これら２つの操作片は、常時互いに幅方向の外側に離間するような弾性を有し、髪挟持板の係着時に、弾性に抗して幅方向の内側に、押圧操作されるようになっている。
【０００５】
装飾板に設けられた係止部材を、ばね板の弾性に抗して、髪挟持板に設けられた係止溝に押圧し、嵌め合わせることにより固定し、また、取り外す際は、装飾板に設けられた係止部の操作片を内側に押圧することで、係止部材が係止溝の幅方向寸法より小さくなる為、弾性により係止溝から外れる仕組みとなっている。
【０００６】
このように、ヒンジ部や係止部は、凹凸箇所が多く、また、複数の係止部材で形成された複雑な構造であり、これらの係止部材や係止溝、枢支片及び枢軸等も、全て金属板で形成されている髪留め具が一般的である（特許文献１参照）。
【先行技術文献】
【特許文献】
【０００７】
【特許文献１】実登３００７３１７号公報
【発明の概要】
【発明が解決しようとする課題】
【０００８】
髪留めを使用する際、後頭部を見ずに感覚で着脱することが一般的であり、片手で頭髪を束ね押さえ、もう一方の手で、髪留め具の髪挟持板に挟み装着するため、出来るだけ係止部の操作性が良く、簡単に確実に、装着や取り外しできることが重要である。
【０００９】
従来は、金属板の弾性を用いて着脱を簡易にする為、下方に弧状に湾曲した弾性を有するばね板と、上方に弧状に湾曲した弾性を有する髪挟持板の間に頭髪を挟持し、接触する円弧面で髪を挟持する構成であるため、頭髪の挟持面が円弧面接点の中心部だけで狭く、集中して挟持しているため、頭髪を挟持する結束力が弱く、挟持力が不均一であり、滑り落ちやすい。
【００１０】
また、係止部の係止部材が複雑に構成され、部品点数が多く、また、髪挟持板のヒンジ部に用いた複数の部材により、凹凸箇所が多く、それらの突起部分に、頭髪が絡まるため、装着や取り外しの際、操作がしにくく、頭髪の切れや縺れが生じる。
本発明は、以上のような問題点をなくすためになされたものである。
【課題を解決するための手段】
【００１１】
本発明は、同一方向に湾曲した可撓性を有する一対の髪挟持板の一端部にヒンジ部を、他端の開放端部に係止部を、それぞれ一体に設け、また、髪挟持板の一方に、挟持する髪が、係止部に入り込むのを防止するための遮断部材を、係止部のヒンジ部側の内面に設けた。
【発明の効果】
【００１２】
髪留め具の結束力については、二つの同一方向に、弧状に湾曲する弾性を有する一対の髪挟持板で髪を挟持しているため、挟持面が広く安定し、挟持力が均一となり、滑り落ち防止用効果が高まる。
【００１３】
髪留めを使用する際、係止部の構成要素を、髪挟持板に設けられた係止用凸部材と、もう一方の髪挟持板に設けられた係止用凹部だけで構成でき、係止用凸部材、係止用凹部の形状も簡単にできる。その結果、頭髪が絡みにくい構造となり、着脱の際の操作性が向上する。
【００１４】
髪留めを使用する際、髪挟持板に設けられた係止用凸部材と、もう一方の髪挟持板に設けられた係止用凹部を押圧するだけの簡単な操作で、装着することができ、取り外す際は、髪挟持板の一方を挟着方向に抗して反対に押圧することで、ヒンジ部に設けたコイルばねの弾性により、係止用凸部材が、係止用凹部から外れ、簡単に取り外しできる。
【００１５】
係止用凸部材よりも内側に遮断部材を設けることで、係止部へ頭髪が流れ込むことを防ぎ、係止用凸部材や係止用凹部に頭髪の絡まりや、切れ、縺れを解消することができる。
【００１６】
一対の髪挟持板の一端側先端部にそれぞれ設けられた係止部材を、互いに捻り合わせて装着、取り外す構成の髪留めが市販されているが、装着や取り外しの都度、髪挟持板の他端側に設けたヒンジ部が、開閉方向とは異なる垂直方向に、捻る力が負荷されるため壊れやすいが、本発明では、一対の髪挟持板に設けた係止部材を、押圧するだけで嵌め合わせることができるため、ヒンジ部に係止部材を互いに捻り合わせる力が働かないため、負荷が係ることなく、耐久性が向上する。
【図面の簡単な説明】
【００１７】
【図１】本発明の実施形態における髪留め具を示す斜視図である。
【図２】同正面図である。
【図３】同拡大斜視図で、係止用凸部材を示す図である。
【図４】同拡大斜視図で、ヒンジ部を示す図である。
【図５】同拡大断面図で、ヒンジ部を示す図である。
【発明を実施するための形態】
【００１８】
以下、本発明を実施するための形態について、図を用いて説明する。
図１,図２において、上方に弧状に湾曲した装飾板１の内側に、装飾板１と同一方向に、上方に弧状に湾曲した一対の髪挟持板２,３が設けられている。髪挟持板２の一端側には、係止用凸部材１４A、係止片１４Bが設けられ、係止用凸部材１４Aよりも内側に、遮断部材１７が備えられ、他端側には、２つの軸受部
４A,４Bが一体に突設されている。装飾板１と髪挟持板２の一端側は、結合部材８を介して結合され、同様に、他端側も、装飾板１と髪挟持板２を、結合部材９を介して結合されている。弧状に湾曲した髪挟持板３の一端側には、係止用凹部
１５Aが設けられ、その係止用凹部１５Aの外側の内面に一体に突起部１５Bが設けられている。髪挟持板３の先端部には、操作部１６を備え、髪挟持板３の他端側には、２つの軸受部５A,５Bが一体に設けられている。
【００１９】
髪留めを使用する際、髪挟持板２と髪挟持板３の間に頭髪を挟持し、髪挟持板２の一端側に設けられた係止用凸部材１４Aを、髪挟持板３の一端側に設けられた係止用凹部１５Aに、押圧することで嵌め合わせる。即ち、後述するコイルばね１１の弾性により押し上げる力で、係止片１４Bの先端部上面が、係止用凹部１５Aの外側の内面に一体に設けられた突起部１５Bに引っ掛かり、係止用凹部１５Aから外れないよう構成されている。
【００２０】
また、髪留めを取り外す際は、髪挟持板３の先端部に設けられた、操作部１６を、後述するコイルばね１１の弾性により、押し上げる力と反対方向に押圧することで、係止用凹部１５Aの外側の内面に一体に設けられた突起部１５Bから、係止片１４Bが外れ、係止用凹部１５Aから、容易に外れるよう構成されている。
【００２１】
図３は、係止用凸部材１４Aを拡大したものを示すものであり、髪挟持板２には、係止用凸部材１４Aよりも内側に、遮断部材１７が備えられ、係止用凸部材１４Aと係止用凹部１５Aを嵌め合わせる際、頭髪が係止部に流れこむのを防ぐために設けられている。係止片１４Bの先端部の形状は、底辺より上面の面積が広い、逆台形にすることにより、係止用凹部１５Aの外側の内面に一体に設けられた突起部１５Bに引っ掛かりやすいように形成されている。
【００２２】
図４は、髪挟持板のヒンジ部を拡大したものを示すものであり、髪挟持板２に、２つの軸受部４A,４Bが一体に突設されている。２つの軸受部４A,４Bは、内側より連結させる連結板６Aと、外側より連結させる連結板６Bで、それぞれ連結され、連結板６A,６Bの間に空間を形成している。軸受部４A,４Bの間に、髪挟持板３に一体に突設された２つの軸受部５A,５Bが設けられ、内側より連結させる連結板７Aと、外側より連結させる連結板７Bで、それぞれ連結させることで、連結板７A,７Bの間に空間を形成し、その空間に、後述する回動軸１０を挿通させたコイルばね１１を収め、コイルばね１１の先端を、連結板７A,７Bにより、軸受部の内側に出てこないようにすることで、頭髪を挟持した際、頭髪がヒンジ部に絡まることを防ぐよう機能している。
【００２３】
図５は、ヒンジ部の断面を拡大したものを示すものである。軸受部４A,４Bに開設された孔部１２A,１２Bと、軸受部５A,５Bに開設された孔部１３A（図示せず）,１３B（図示せず）に、回動軸１０を挿通させたコイルばね１１により、一対の髪挟持板２,３を連結させている。ヒンジ部にコイルばね１１を設けることで、髪挟持板２,髪挟持板３に弾性を備えることができ、髪留めの装着や取り外しが簡単に操作できる。
【００２４】
二つの同一方向に弧状に湾曲する弾性を有する一対の髪挟持板２,３で、髪を挟持する形状により、髪留め具の結束力は、挟持面が広く安定し、挟持力が均一となり、滑り落ち防止用効果が高まる。
【００２５】
頭髪を挟持する際、髪挟持板２に設けられた係止用凸部材１４Aと、髪挟持板３に設けられた係止用凹部１５Aを同時に押圧するだけで、コイルばね１１の弾性により、少しの力で簡単に装着することができる。また、取り外す際には、操作部１６を、コイルばね１１の弾性による押し上げる力に抗して、反対に押圧するだけの、ワンタッチ操作で簡単に、取り外することができる。
【００２６】
頭髪を挟持し、装着、または、取り外す際、係止部の構成要素を係止用凸部材１４Aや係止片１４Bと、係止用凹部１５Aや係止用凹部１５Aの外側の内面に一体に設けられた突起部１５Bだけで構成でき、係止用凸部材１４Aや係止片
１４B、係止用凹部１５Aの形状も簡単にできる。その結果、頭髪が絡まりにくい構造となり、着脱の際の操作性が向上する。また、万一、頭髪が絡まった場合でも、簡単に取外しができるよう、係止用凸部材１４Aや係止片１４B、係止用凹部１５A、突起部１５Bにおいては、髪が滑りやすい樹脂やプラスチック等の素材を用いて形成することで、取り外しが容易にできる。
【００２７】
また、髪留めを使用する際、挟持する髪束を、髪挟持板２に設けた遮断部材
１７の内側に収めることで、係止部の係止用凸部材１４Aや係止用凹部１５Aに、頭髪が流れ込むことを防ぐことができるため、係止部への頭髪の絡まりや切れを防ぐことができる。
【００２８】
更に、髪挟持板２,３のヒンジ部においては、軸受部４A,４B,５A,５Bにそれぞれ設けられた連結板６A,６B,７A,７Bは、ヒンジ部に備える回動軸１０やコイルばね１１の先端が、頭髪を挟持する部分へ延びることを防止する働きを兼ね備えており、遮断部材１７や、軸受部４A,４B,５A,５Bに連結板６A,６B,７A,７Bを設けることで、係止部やヒンジ部への頭髪の絡まりや、切れ、縺れを防ぐことができる。
【００２９】
弧状に湾曲した一対の髪挟持板２,３の内側は、頭髪を挟持する部分であり、また、弧状に湾曲した弾性を有する髪挟持板３の外側は、直接、頭部に接触する部分であるため、弾性やクッション性のある柔らかな素材で、頭髪が滑りにくい、シリコン素材やシリコンゴム素材等の柔軟材で形成することで、ずれ落ち防止用としての効果を高め、髪留め具を装着した際、頭部押圧による痛みも軽減でき、装着感を改善できる。
【００３０】
以上の実施形態では、図１で示す髪留め具の形状を用いて例示したが、髪留め具の形状は、あらゆる形状全般が含まれるものとし、これに限定されない。
【符号の説明】
【００３１】
１                装飾板
２                髪挟持板
３                髪挟持板
４A,４B           軸受部
５A,５B           軸受部
６A,６B           連結板
７A,７B           連結板
８                結合部材
９                結合部材
１０              回動軸
１１              コイルばね
１２A,１２B       孔部
１３A,１３B       孔部
１４A             係止用凸部材
１４B             係止片
１５A             係止用凹部
１５B             突起部
１６              操作部
１７              遮断部材
【図１】
2019208714.tif 000003
【図２】
2019208714.tif 000004
【図３】
2019208714.tif 000005
【図４】
2019208714.tif 000006
【図５】
2019208714.tif 000007
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
同一方向に湾曲したプラスチックなどの可撓性を有する柔軟素材よりなる一対の髪挟持板を備え、上記髪挟持板の一端部には互いに回動可能に結合した軸受部が一体に設けられ、上記髪挟持板のそれぞれの開放端部の内側には係止片を備えた係止用凸部材と上記係止片と着脱可能に係合する突起部を備えた係止用凹部が設けられ、上記一対の髪挟持板のうち外側に位置する髪挟持板には上記髪挟持板を覆うように装飾板が一体に設けられているとともに上記係止用凸部材の内側には挟持した髪が上記係止用凸部材側に入り込むのを防止する遮断用突起部が一体に設けられ、上記軸受部には上記一対の髪挟持板をその開放端部が開く方向に常時付勢するためのばね部材が連結板で結合された軸受部の内側に設けられていることを特徴とする髪留め具。